(57)【特許請求の範囲】
【請求項１】
貫通孔が設けられたケースと、
前記ケースの前記貫通孔にその軸方向にスライド可能に設けられ、かつガイド動作部を有する操作部材と、
前記ケースの内部にその内面に沿って移動可能に設けられ、かつその移動に応じて前記ガイド動作部を前記操作部材と共に前記ケースの内部に向けて引き込む引込部を有する制御移動部材と、
前記制御移動部材を移動させる駆動機構と、
を備え、
前記駆動機構は、前記ケース内に配置されて前記制御移動部材と共に移動する伝達移動部材と、この伝達移動部材を駆動する駆動部と、を備えていることを特徴とするスイッチ装置。
【請求項２】
貫通孔が設けられたケースと、
前記ケースの前記貫通孔にその軸方向にスライド可能に設けられ、かつガイド動作部を有する操作部材と、
前記ケースの内部にその内面に沿って移動可能に設けられ、かつその移動に応じて前記ガイド動作部を前記操作部材と共に前記ケースの内部に向けて引き込む引込部を有する制御移動部材と、
を備え、
前記制御移動部材が前記操作部材を前記ケースの内部に引き込んだ際における前記制御移動部材の回転位置を検出する検出部を備えていることを特徴とするスイッチ装置。
【請求項３】
請求項１または請求項２に記載のスイッチ装置において、前記操作部材は、前記ケースの外部に位置する頭部と、この頭部に連設されて内端部が前記ケースの内部に突出する軸部と、を備え、前記軸部の内端部に前記ガイド動作部が取り付けられていることを特徴とするスイッチ装置。
【請求項４】
請求項１〜請求項３のいずれかに記載のスイッチ装置において、前記制御移動部材は、その移動に応じて前記操作部材の前記ガイド動作部を前記操作部材と共に前記ケースの外部に向けて押し出す押出部を有していることを特徴とするスイッチ装置。
【請求項５】
請求項２に記載のスイッチ装置において、前記制御移動部材を移動させる駆動機構を備えていることを特徴とするスイッチ装置。
【請求項６】
請求項１に記載のスイッチ装置において、前記駆動機構の前記駆動部は、振動によって前記伝達移動部材を移動させる圧電アクチュエータであることを特徴とするスイッチ装置。
【請求項７】
請求項１〜請求項６のいずれかに記載のスイッチ装置において、前記制御移動部材は、前記ケースの内面に沿って回転移動するリング形状に形成されており、前記操作部材は、前記ケースの外周における複数個所にそれぞれ設けられていることを特徴とするスイッチ装置。
【請求項８】
請求項１〜請求項７のいずれかに記載のスイッチ装置において、前記操作部材の押圧操作に応じてスイッチ動作するスイッチ部を備えていることを特徴とするスイッチ装置。
【請求項９】
請求項１〜請求項８のいずれかに記載のスイッチ装置において、前記操作部材を前記ケースの外部に向けて付勢する付勢部材を備えていることを特徴とするスイッチ装置。
【請求項１０】
請求項９に記載のスイッチ装置において、前記付勢部材は、前記制御移動部材に設けられた弾性部であることを特徴とするスイッチ装置。
【請求項１１】
請求項９に記載のスイッチ装置において、前記付勢部材は、前記スイッチ部の接点部に接離可能に弾接する接点ばねであることを特徴とするスイッチ装置。
【請求項１２】
請求項１または請求項６に記載のスイッチ装置において、前記制御移動部材が前記操作部材を前記ケースの内部に引き込んだ際における前記制御移動部材の回転位置を検出する検出部を備えていることを特徴とするスイッチ装置。
【請求項１３】
請求項１〜請求項１２のいずれかに記載されたスイッチ装置を備えていることを特徴とする時計。
【発明の詳細な説明】
【技術分野】
【０００１】
この発明は、腕時計などの電子機器に用いられるスイッチ装置およびそれを備えた時計に関する。
【背景技術】
【０００２】
例えば、腕時計のスイッチ装置においては、特許文献１に記載されているように、操作部材がばね部材のばね力によって押し出された際に、操作部材の回転がロックされ、操作部材がばね部材のばね力に抗して押し込まれた際に、操作部材に対するロックが解除されて、操作部材を回転操作できるように構成されたものが知られている。
【先行技術文献】
【特許文献】
【０００３】
【特許文献１】特開２０１１−１８５８３５号公報
【０００４】
この種のスイッチ装置は、腕時計ケースの貫通孔に設けられた円筒部材の外端部に係止歯車を設け、腕時計ケースの外部に位置する操作部材の頭部の内周部に係合リングを設けた構成になっている。このため、このスイッチ装置は、操作部材がばね部材のばね力によって押し出された際に、係合リングの内歯が円筒部材の係止歯車の外歯に噛み合うことにより、操作部材の回転をロックするように構成されている。
【０００５】
また、このスイッチ装置は、操作部材の頭部がばね部材のばね力に抗して押し込まれた際に、係合リングの内歯が円筒部材の係止歯車の外歯から離脱することにより、係止歯車の外歯に対する係合リングの内歯の噛み合いが外れて、操作部材に対するロックが解除されるように構成されている。
【０００６】
これにより、このスイッチ装置では、操作部材の頭部がばね部材のばね力によって押し出された通常の状態のときに、操作部材の頭部が腕時計ケースの外部に突出し、この外部に突出した頭部に物がぶつかって、不用意に操作部材が回転しないようになっている。
【発明の概要】
【発明が解決しようとする課題】
【０００７】
しかしながら、このような腕時計のスイッチ装置では、操作部材を操作しない通常状態のときに、操作部材の頭部がばね部材のばね力によって腕時計ケースの外部に押し出されているため、この外部に押し出された頭部に物がぶつかり易く、操作部材が破損し易いという問題がある。
【０００８】
この発明が解決しようとする課題は、操作部材を操作しないときに、操作部材を操作せずに操作部材の外端部をケース内に収納することができるスイッチ装置およびそれを備えた時計を提供することである。
【課題を解決するための手段】
【０００９】
この発明は、貫通孔が設けられたケースと、前記ケースの前記貫通孔にその軸方向にスライド可能に設けられ、かつガイド動作部を有する操作部材と、前記ケースの内部にその内面に沿って移動可能に設けられ、かつその移動に応じて前記ガイド動作部を前記操作部材と共に前記ケースの内部に向けて引き込む引込部を有する制御移動部材と、前記制御移動部材を移動させる駆動機構と、を備え、前記駆動機構は、前記ケース内に配置されて前記制御移動部材と共に移動する伝達移動部材と、この伝達移動部材を駆動する駆動部と、を備えていることを特徴とするスイッチ装置である。
【発明の効果】
【００１０】
この発明によれば、操作部材を操作しないときに、制御移動部材を移動させると、これに伴って引込部が制御移動部材と共に移動して操作部材のガイド動作部をケースの内部に引き込むことができるので、操作部材を操作せずに、操作部材の外端部をケース内に収納することができ、これにより操作部材の外端部が物にぶつかり難くし、操作部材の破損を防ぐことができる。
【図面の簡単な説明】
【００１１】
【図１】この発明を腕時計に適用した第１実施形態を示した拡大正面図である。
【図２】図１に示された腕時計を分解して示した斜視図である。
【図３】図１に示された腕時計の一部を省略して示した要部の拡大斜視図である。
【図４】図３に示された腕時計の要部を示し、（ａ）は操作部材を腕時計ケースの外部に押し出した状態を示した拡大正面図、（ｂ）は操作部材を腕時計ケース内に引き込んだ状態を示した拡大正面図である。
【図５】図４に示された腕時計におけるスイッチ装置の要部を分解して示した拡大斜視図である。
【図６】図４（ａ）に示された腕時計のスイッチ装置のＡ−Ａ矢視における要部の拡大断面図である。
【図７】図６に示されたスイッチ装置のＢ−Ｂ矢視において、制御移動部材の押出部が操作部材を腕時計ケースの外部に押し出す状態を示し、（ａ）は制御移動部材の押出部が移動を開始する状態を示した要部の拡大図、（ｂ）は制御移動部材の押出部が移動して操作部材が押し出された状態を示した要部の拡大図、（ｃ）は制御移動部材の押出部が更に移動して操作部材が制御移動部材の押出部を相対的に乗り越えた状態を示した要部の拡大図である。
【図８】図６に示されたスイッチ装置のＣ−Ｃ矢視において、制御移動部材の弾性部が操作部材に対応して弾接する状態を示し、（ａ）は操作部材が腕時計ケース内に引き込まれている状態を示した要部の拡大図、（ｂ）は制御移動部材の弾性部が操作部材に向けて移動している状態を示した要部の拡大図、（ｃ）は制御移動部材の弾性部が更に移動して操作部材に対応して弾接した状態を示した要部の拡大図である。
【図９】図６に示されたスイッチ装置のＤ−Ｄ矢視において、制御移動部材の引込部が操作部材を腕時計ケースの内部に引き込む状態を示し、（ａ）は操作部材が制御移動部材の弾性部に対応して押し出されている状態を示した要部の拡大図、（ｂ）は制御移動部材が移動して引込部が操作部材に向けて移動している状態を示した要部の拡大図、（ｃ）は制御移動部材が更に移動して引込部が操作部材を引き込んだ状態を示した要部の拡大図である。
【図１０】この発明における駆動機構の変形例を示し、（ａ）は駆動機構のモータを保持部材に対して水平に配置した第１変形例を示した要部の拡大正面図、（ｂ）は駆動機構のモータを保持部材に対して垂直に配置した第２変形例を示した要部の拡大正面図である。
【図１１】この発明を腕時計に適用した第２実施形態において、腕時計の一部を省略して示した要部の拡大斜視図である。
【図１２】図１１に示された腕時計の要部を示し、（ａ）は操作部材が腕時計ケース内に引き込まれた状態を示した拡大正面図、（ｂ）は操作部材が腕時計ケースの外部に押し出された状態を示した拡大正面図である。
【図１３】図１１に示された腕時計の要部を分解して示した拡大斜視図である。
【図１４】図１２（ｂ）に示された腕時計のＥ−Ｅ矢視における要部の拡大断面図である。
【図１５】図１３に示されたスイッチ装置の要部を分解して示した拡大斜視図である。
【図１６】図１２に示された腕時計において、操作部材が制御移動部材の切欠き部を通してスイッチ接点部に対応する状態を示し、（ａ）は操作部材が腕時計ケース内に引き込まれている状態を示した要部の拡大図、（ｂ）は制御移動部材が回転移動して操作部材がスイッチ接点部の接点ばねのばね力によって押し出された状態を示した要部の拡大図である。
【発明を実施するための形態】
【００１２】
（第１実施形態）
以下、図１〜図９を参照して、この発明を腕時計に適用した第１実施形態について説明する。
この腕時計は、図１および図２に示すように、腕時計ケース１を備えている。この腕時計ケース１の１２時側と６時側とには、バンド取付部２が外周側に突出して設けられている。この腕時計ケース１の上部には、ベゼル３が取り付けられている。この腕時計ケース１の上部開口部には、時計ガラス（図示せず）が見切り部材４と共に取り付けられている。
【００１３】
また、この腕時計ケース１の下部には、図２に示すように、裏蓋５がビス５ａによって取り付けられている。この腕時計ケース１の内部には、時計モジュール６が設けられている。この時計モジュール６は、図示ないが、時刻などの情報を表示する表示部や、指針の運針により時刻を指示する時計ムーブメントなどの時計機能に必要な各種の部品を備えている。
【００１４】
さらに、この腕時計ケース１の２時側、４時側、８時側、および１０時側の４箇所に位置する各側部には、図１および図２に示すように、スイッチ装置７の操作部材８がそれぞれ設けられている。このスイッチ装置７は、腕時計ケース１の側部に設けられた複数の貫通孔９にスライド可能に設けられた複数の操作部材８と、腕時計ケース１の内部にその内面に沿って移動可能に設けられた制御移動部材１０と、を備えている。
【００１５】
この場合、腕時計ケース１の２時側、４時側、８時側、および１０時側の４箇所に位置する側部には、図２および図６に示すように、貫通孔９が内部と外部とに貫通して設けられている。この貫通孔９は、腕時計ケース１の内部側に位置する小径孔部９ａと、腕時計ケース１の外部側に位置する大径孔部９ｂと、を有している。
【００１６】
操作部材８は、図１〜図６に示すように、腕時計ケース１の外部側に位置する頭部１１と、この頭部１１に連設されて腕時計ケース１の貫通孔９に挿入される軸部１２と、この軸部１２の内端部に取り付けられたガイド動作部１３と、を備えている。頭部１１は、その外径が貫通孔９の大径孔部９ｂの内径とほぼ同じか、それよりも少し小さく形成され、その軸方向の長さが貫通孔９の大径孔部９ｂにおける軸方向の長さとほぼ同じ長さに形成されている。
【００１７】
これにより、頭部１１は、図６に示すように、腕時計ケース１の貫通孔９における大径孔部９ｂ内に出没可能に収納されると共に、腕時計ケース１の外部に突出するように構成されている。軸部１２は、その外径が貫通孔９の小径孔部９ａの内径とほぼ同じ大きさで、その軸方向の長さが貫通孔９の軸方向の長さとほぼ同じ長さに形成されている。これにより、軸部１２は、腕時計ケース１の貫通孔９にスライド可能に挿入され、この状態で内端部が腕時計ケース１の内部に突出するように構成されている。
【００１８】
この場合、軸部１２の内端部には、図５および図６に示すように、Ｅリングなどの抜止め部材１４が取り付けられている。この抜止め部材１４は、軸部１２の内端部に設けられた取付溝部１２ａにガイド動作部１３と共に取り付けられて、軸部１２が腕時計ケース１の外部に抜け出さないように構成されている。また、軸部１２の外周面には、防水リング１５が設けられている。この防水リング１５は、その内周部が軸部１２の外周面に取り付けられ、その外周部が貫通孔９の小径孔部９ａの内周面に弾接して摺動するように構成されている。
【００１９】
ガイド動作部１３は、図５および図６に示すように、動作本体部１６と、第１ガイド片１７と、第２ガイド片１８と、回転止め部１９とを備えている。動作本体部１６は、平板状に形成され、そのほぼ中心部に取付孔１６ａが設けられ、この取付孔１６ａが軸部１２の内端部に設けられた取付溝部１２ａに配置され、この状態で抜止め部材１４によって取り付けられるように構成されている。
【００２０】
第１ガイド片１７は、図４〜図６に示すように、反時計回り方向に位置する動作本体部１６の一端下部に反時計回り方向に突出して設けられ、制御移動部材１０の後述する引込部２０に沿って移動することにより、動作本体部１６を腕時計ケース１の内部に向けて移動させるように構成されている。
【００２１】
第２ガイド片１８は、図４〜図６に示すように、時計回り方向に位置する動作本体部１６の他端上部に時計回り方向に突出して設けられ、制御移動部材１０の後述する押出部２１に沿って移動することにより、動作本体部１６を腕時計ケース１の外部に向けて移動させるように構成されている。
【００２２】
回転止め部１９は、図５および図６に示すように、動作本体部１６の下端部に腕時計ケース１の外部側に向けて突出して設けられ、腕時計ケース１の内面下部にその内周面に沿って移動可能に当接することにより、操作部材８の軸部１２に対する動作本体部１６の回転を規制すると共に、操作部材８の軸部１２に対する動作本体部１６の上下方向の位置を規制するように構成されている。
【００２３】
一方、制御移動部材１０は、図２〜図６に示すように、全体がほぼリング形状に形成され、腕時計ケース１の内部にその内周面に沿って所定角度の範囲、例えばこの第１実施形態では約３０度の角度範囲内で回転移動可能に配置されている。この制御移動部材１０は、複数の操作部材８に対応する箇所、つまり２時側、４時側、８時側、１０時側に位置する４箇所に切欠き部１０ａがそれぞれ約３０度の角度範囲で下側に開放されて形成されている。
【００２４】
この制御移動部材１０における複数の切欠き部１０ａそれぞれには、図２〜図６に示すように、操作部材８のガイド動作部１３を腕時計ケース１の内部に向けて引き込む引込部２０と、操作部材８のガイド動作部１３を腕時計ケース１の外部に向けて押し出す押出部２１と、操作部材８の軸部１２の内端部が弾接して操作部材８を腕時計ケース１の外部に向けて押し出す方向に付勢する付勢部材である弾性部２２と、が設けられている。
【００２５】
引込部２０は、図４および図５に示すように、制御移動部材１０の切欠き部１０ａにおける反時計回り方向に位置する内端下部、つまりガイド動作部１３の第１ガイド片１７に対応する内端下部に時計回り方向に向けて突出して形成されている。この引込部２０は、その突出した部分における腕時計ケース１の内部側に位置する内面が時計回り方向に向けて次第に腕時計ケース１の外部側に向けて傾斜する傾斜面２０ａに形成された構成になっている。
【００２６】
これにより、引込部２０は、図３〜図５に示すように、制御移動部材１０が腕時計ケース１の内周面に沿って回転移動する際に、この制御移動部材１０と共に同方向に移動すると共に、操作部材８が押し出されている状態、つまりガイド動作部１３が引込部２０から時計回り方向に離れている状態で、制御移動部材１０が時計回り方向に回転移動する際に、この移動に伴って引込部２０の先端部がガイド動作部１３の第１ガイド片１７の外側面に向けて移動するように構成されている。
【００２７】
また、この引込部２０は、図３〜図５に示すように、その先端部がガイド動作部１３の第１ガイド片１７の外側面に到達した際に、この第１ガイド片１７が引込部２０の傾斜面２０ａに沿って相対的に移動し、この相対的な移動によって第１ガイド片１７を腕時計ケース１の内部に向けて引き込むことにより、操作部材８を腕時計ケース１の内部に引き込むように構成されている。
【００２８】
また、押出部２１は、図４および図５に示すように、制御移動部材１０の切欠き部１０ａにおける反時計回り方向に位置する内端上部、つまり第１ガイド片１７の上方に位置するガイド動作部１３の第２ガイド片１８に対応する内端上部に、時計回り方向に向けて突出して形成されている。この押出部２１は、その突出した部分における腕時計ケース１の外部側に位置する外面が、時計回り方向に沿って腕時計ケース１の外部側に向けて次第に傾斜する傾斜面２１ａに形成された構成になっている。
【００２９】
これにより、押出部２１は、図３〜図５に示すように、制御移動部材１０が腕時計ケース１の内周面に沿って回転移動する際に、この制御移動部材１０と共に同方向に移動すると共に、操作部材８が引込部２０によって引き込まれた状態、つまりガイド動作部１３の第２ガイド片１８が反時計回り方向に位置する押出部２１の基端部に位置した状態で、制御移動部材１０が反時計回り方向に回転移動する際に、ガイド動作部１３の第２ガイド片１８を腕時計ケース１の外部に押し出すように構成されている。
【００３０】
すなわち、この押出部２１は、図３〜図５に示すように、制御移動部材１０と共に反時計回り方向に移動する際に、この移動に伴ってガイド動作部１３の第２ガイド片１８が押出部２１の傾斜面２１ａに沿って相対的に移動し、この相対的な移動によって第２ガイド片１８を腕時計ケース１の外部に向けて押し出すことにより、操作部材８を腕時計ケース１の外部に押し出すように構成されている。
【００３１】
この場合、押出部２１は、図４および図５に示すように、制御移動部材１０の円周方向の長さが引込部２０の円周方向の長さよりも長く形成され、その円周方向の先端部側、つまり引込部２０の円周方向に突出した先端部側が、引込部２０の外周部よりも外周側に突出する山形状に形成され、この山形状の先端部側の頂点が腕時計ケース１の内面に接近するように構成されている。
【００３２】
また、この押出部２１は、図４および図５に示すように、引込部２０の傾斜面２０ａに対する箇所の傾斜面２１ａ、つまり反時計回り方向に位置する押出部２１の基端部側に位置する傾斜面２１ａが、引込部２０の傾斜面２０ａよりも腕時計ケース１の内部側に位置することにより、押出部２１と引込部２０との間にガイド動作部１３が配置されるように構成されている。
【００３３】
また、制御移動部材１０の付勢部材である弾性部２２は、図４および図５に示すように、制御移動部材１０の切欠き部１０ａにおける時計回り方向に位置する内端の中間部、つまり操作部材８の軸部１２の内端部に対応する内端における引込部２０と押出部２１との間に位置する中間部から押出部２１の先端部に向けて突出して形成され、この状態で操作部材８の軸方向に弾性変形（撓み変形）するように構成されている。
【００３４】
すなわち、この弾性部２２は、図４および図５に示すように、制御移動部材１０と共に回転移動した際に、押出部２１の先端部に向けて突出した先端部が操作部材８の軸部１２の内端部に接離可能に対応して弾接し、この状態で操作部材８を腕時計ケース１の外部に向けて押し出す方向に弾力的に付勢するように構成されている。
【００３５】
これにより、弾性部２２は、図４および図５に示すように、制御移動部材１０が反時計回り方向に回転移動する際に、制御移動部材１０と共に同方向に移動し、ガイド動作部１３の第２ガイド片１８が押出部２１で押し出されて、押出部２１を相対的に乗り越えて、ガイド動作部１３が自由状態になったときに、操作部材８の軸部１２の内端部が対応して弾接することにより、操作部材８を腕時計ケース１の外部に向けて弾力的に押し出すように構成されている。
【００３６】
ところで、このスイッチ装置７は、図２〜図４に示すように、制御移動部材１０を回転移動させる駆動機構２３を備えている。この駆動機構２３は、腕時計ケース１内に回転移動可能に配置されて制御移動部材１０と共に回転移動する伝達移動部材２４と、この伝達移動部材２４を駆動する駆動部である圧電アクチュエータ２５と、伝達移動部材２４および圧電アクチュエータ２５を保持する保持部材２６と、を備えている。
【００３７】
この場合、保持部材２６は、図２に示すように、円板状に形成され、裏蓋５上にビス５ｂによって取り付けられている。伝達移動部材２４は、リング形状に形成され、保持部材２６上に回転移動可能に配置されている。この伝達移動部材２４は、１２時側と６時側とに設けられた連結部２４ａによって制御移動部材１０に連結されていることにより、制御移動部材１０と共に回転移動するように構成されている。
【００３８】
また、この伝達移動部材２４の外周面には、図２に示すように、回転移動範囲を規制する規制凹部２４ｂが設けられている。この規制凹部２４ｂ内には、保持部材２６に設けられた規制突起部２６ａが相対的に移動可能に挿入されている。これにより、伝達移動部材２４は、保持部材２６の規制突起部２６ａが規制凹部２４ｂ内に挿入された状態で相対的に移動することにより、保持部材２６上で所定角度、つまり約３０度の角度範囲で回転移動するように構成されている。
【００３９】
駆動部である圧電アクチュエータ２５は、図２〜図４に示すように、伝達移動部材２４の内周面に振動子をリング機構およびばね力による与圧によって接触させ、この振動子を圧電素子によって楕円運動させることにより、伝達移動部材２４を回転移動させるように構成されている。この圧電アクチュエータ２５は、ビス５ｃによって保持部材２６上における１２時側の箇所に取り付けられている。
【００４０】
この圧電アクチュエータ２５は、例えば腕時計ケース１に設けられたスライドスイッチ（図示せず）のスライド操作に応じて動作するように構成されている。すなわち、この圧電アクチュエータ２５は、図２〜図４に示すように、スライドスイッチ（図示せず）を一方向にスライドさせた際に、伝達移動部材２４を時計回り方向に約３０度回転移動させ、またスライドスイッチを他方向にスライドさせた際に、伝達移動部材２４を反時計回り方向に約３０度回転移動させるように構成されている。
【００４１】
また、このスイッチ装置７は、図２および図８に示すように、複数の操作部材８にそれぞれ対応する複数のスイッチ接点部２７を備えている。これら複数のスイッチ接点部２７それぞれは、図８（ａ）〜図８（ｃ）に示すように、腕時計ケース１内に設けられた時計モジュール６の外周部に設けられた固定接点２７ａと、時計モジュール６の外周部に設けられて、固定接点２７ａに接離可能に接触する接点ばね２７ｂと、を備えている。
【００４２】
この場合、接点ばね２７ｂは、図８（ａ）〜図８（ｃ）に示すように、板ばねであり、制御移動部材１０が回転移動して制御移動部材１０の弾性部２２の外面に操作部材８の軸部１２の内端部が対応して弾接した際に、弾性部２２の内面に対応して弾接し、この状態で操作部材８の頭部１６が外部から押されて軸部１７の内端部が制御移動部材１０の弾性部２２を押圧して弾性変形（撓み変形）させた際に、その弾性変形した弾性部２２によって押圧されて固定接点２７ａに接触するように構成されている。
【００４３】
さらに、このスイッチ装置７は、図２および図４に示すように、制御移動部材１０の引込部２０が操作部材８を腕時計ケース１の内部に引き込んだ際に、制御移動部材１０の回転位置を検出する検出部２８を備えている。この検出部２８は、タッチセンサ、またはホール素子を用いた磁気センサや、フォトインタラプタなどの光学センサなどの非接触型センサなどのいずれかのセンサである。
【００４４】
この場合、検出部２８は、図２および図４に示すように、操作部材８が腕時計ケース１の内部に引き込まれた際における制御移動部材１０の回転位置を検出して、検出信号を出力するように構成されている。これにより、この検出部２８は、検出信号を時計モジュール６の電子回路（図示せず）に出力して、スイッチ接点部２７のスイッチ機能を電気的に停止させるように構成されている。
【００４５】
すなわち、この検出部２８は、制御移動部材１０の引込部２０によって操作部材８が腕時計ケース１の内部に引き込まれた際に、操作部材８の軸部１２が制御移動部材１０の弾性部２２を押圧して、接点ばね２７ｂが固定接点２７ａに接触することにより、スイッチ接点部２７がオン状態になっても、検出部２８の検出信号に基づいて時計モジュール６の電子回路がスイッチ接点部２７を電気的に遮断することにより、スイッチ接点部２７がオン信号を出力しないように構成されている。
【００４６】
次に、このような腕時計におけるスイッチ装置７の作用について説明する。
このスイッチ装置７を操作しないときには、図４（ｂ）に示すように、制御移動部材１０が時計回りに回転されて、制御移動部材１０の引込部２０によって操作部材８のガイド動作部１３が腕時計ケース１の内部に引き込まれている。この状態では、操作部材８の頭部１１が腕時計ケース１の外部に突出することがなく、腕時計ケース１の貫通孔９の大径孔部９ｂ内に収納されている。
【００４７】
このような状態で、スイッチ装置７をスイッチ操作可能な状態にする場合には、腕時計ケース１に設けられたスライドスイッチ（図示せず）をスライド操作させて、圧電アクチュエータ２５を駆動させ、伝達移動部材２４を反時計回り方向に回転させる。すると、伝達移動部材２４の回転に伴って制御移動部材１０が同方向に回転し、図７（ａ）および図７（ｂ）に示すように、制御移動部材１０の押出部２１が操作部材８のガイド動作部１３の第２ガイド片１８を腕時計ケース１の外部に向けて徐々に押し出す。
【００４８】
すなわち、制御移動部材１０の回転に伴って制御移動部材１０の押出部２１が反時計回り方向に回転移動すると、この押出部２１の傾斜面２１ａが回転移動しながらガイド動作部１３の第２ガイド片１８を徐々に腕時計ケース１の外部に向けて押し出す。そして、図７（ｂ）および図７（ｃ）に示すように、ガイド動作部１３の第２ガイド片１８が押出部２１を相対的に乗り越えると、操作部材８のガイド動作部１３が自由状態になり、操作部材８の軸部１２の内端部が制御移動部材１０の弾性部２２に対応して弾接する。
【００４９】
この状態のときには、図４（ａ）および図８（ｃ）に示すように、制御移動部材１０の弾性部２２の弾性力によって操作部材８の軸部１２が押し出され、操作部材８の頭部１１が腕時計ケース１の貫通孔９の大径孔部９ｂから外部に押し出される。また、このときには、時計モジュール６のスイッチ接点部２７の接点ばね２７ｂが固定接点２７ａから離れているので、操作部材８の操作によってスイッチ接点部２７がスイッチ動作可能な状態になる。
【００５０】
すなわち、このときには、制御移動部材１０が反時計回りに回転することにより、図４（ａ）に示すように、制御移動部材１０の回転位置が検出部２８から離れる。このため、検出部２８が検出信号を時計モジュール６の電子回路（図示せず）に出力し、この検出部２８の検出信号に基づいて電子回路がスイッチ接点部２７を電気的に通電させてスイッチ動作可能な状態にする。
【００５１】
そして、制御移動部材１０が反時計回りに所定角度回転すると、図２に示すように、伝達移動部材２４の外周面に設けられた規制凹部２４ｂ内を保持部材２６に設けられた規制突起部２６ａが相対的に移動して規制凹部２４ｂの一端部に当接する。このため、制御移動部材１０の回転移動が停止され、圧電アクチュエータ２５の動作が停止される。
【００５２】
このように、制御移動部材１０の弾性部２２の弾性力によって操作部材８の軸部１２が押し出されて、図８（ｃ）に示すように、スイッチ接点部２７がスイッチ動作可能な状態になると、操作部材８の頭部１１を押圧操作して、スイッチ接点部２７をスイッチ動作させることができる。すなわち、操作部材８の頭部１１を制御移動部材１０の弾性部２２の弾性力に抗して押圧すると、操作部材８の軸部１２が腕時計ケース１の貫通孔９内をスライドして、軸部１２の内端部が弾性部２２を押圧して腕時計ケース１の内部に向けて弾性変形（撓み変形）させる。
【００５３】
このときには、図８（ｃ）に示すように、制御移動部材１０の弾性部２２の弾性変形によってスイッチ接点部２７の接点ばね２７ｂが固定接点２７ａに押し付けられる。これにより、スイッチ接点部２７がオン状態になる。また、操作部材８の頭部１１から指を離して外力を取り除くと、制御移動部材１０の弾性部２２の弾性力によって操作部材８の軸部１２が腕時計ケース１の外部に押し出され、接点ばね２７ｂが固定接点２７ａから離れてスイッチ接点部２７がオフ状態になる。
【００５４】
一方、このスイッチ装置７を操作しない場合には、図４（ｂ）に示すように、制御移動部材１０の引込部２０によって操作部材８のガイド動作部１３を腕時計ケース１の内部に引き込み、操作部材８の頭部１１を腕時計ケース１の外部に突出することなく、腕時計ケース１の貫通孔９の大径孔部９ｂ内に収納する。
【００５５】
このときには、腕時計ケース１に設けられたスライドスイッチ（図示せず）を前述と逆方向にスライド操作させて、圧電アクチュエータ２５を駆動させ、伝達移動部材２４を時計回りに回転させる。すると、伝達移動部材２４の回転に伴って制御移動部材１０が同方向に回転し、制御移動部材１０の弾性部２２が操作部材８の軸部１２の内端部から離れて、図７（ｂ）に示すように、制御移動部材１０の押出部２１が操作部材８のガイド動作部１３の第２ガイド片１８に対応する。
【００５６】
この状態で、制御移動部材１０が更に回転移動すると、図７（ａ）に示すように、ガイド動作部１３の第２ガイド片１８が押出部２１に沿って移動して、制御移動部材１０の引込部２０が操作部材８のガイド動作部１３の第１ガイド片１７に到達して対応する。すると、図９（ｃ）に示すように、引込部２０が第１ガイド片１７を腕時計ケース１の内部に向けて引き込む。
【００５７】
すなわち、制御移動部材１０が回転移動し、図９（ａ）〜図９（ｃ）に示すように、この制御移動部材１０の回転に伴って引込部２０が時計回りに回転移動すると、この引込部２０がガイド動作部１３の第１ガイド片１７に接近する。そして、引込部２０が操作部材８のガイド動作部１３の第１ガイド片１７に到達すると、引込部２０の傾斜面２０ａが回転移動しながらガイド動作部１３の第１ガイド片１７を徐々に腕時計ケース１の内部に向けて徐々に引き込む。
【００５８】
そして、ガイド動作部１３の第１ガイド片１７が制御移動部材１０の引込部２０によって引き込まれると、図４（ｂ）に示すように、操作部材８の頭部１１が腕時計ケース１の貫通孔９の大径孔部９ｂ内に収納される。このときには、制御移動部材１０の回転位置が検出部２８によって検出され、この検出部２８で検出された検出信号に基づいて時計モジュール６の電子回路（図示せず）がスイッチ接点部２７を電気的に遮断し、スイッチ接点部２７をオフ状態にする。
【００５９】
すなわち、制御移動部材１０の引込部２０によって操作部材８が腕時計ケース１の内部に引き込まれた際には、操作部材８の軸部１２が制御移動部材１０の弾性部２２を押圧して、接点ばね２７ｂが固定接点２７ａに接触する。これにより、スイッチ接点部２７がオン状態になっても、検出部２８の検出信号に基づいて電子回路がスイッチ接点部２７を電気的にオフ状態にする。
【００６０】
また、このときには、制御移動部材１０が時計回りに所定角度回転すると、伝達移動部材２４の外周面に設けられた規制凹部２４ｂ内を保持部材２６に設けられた規制突起部２６ａが相対的に移動して規制凹部２４ｂの端部に当接する。このため、制御移動部材１０の回転移動が停止され、圧電アクチュエータ２５の動作が停止される。
【００６１】
このように、この腕時計のスイッチ装置７によれば、貫通孔９が設けられた腕時計ケース１と、この腕時計ケース１の貫通孔９にその軸方向にスライド可能に設けられ、かつガイド動作部１３を有する操作部材８と、腕時計ケース１の内部にその内面に沿って移動可能に設けられ、かつその移動に応じてガイド動作部１３を操作部材８と共に腕時計ケース１の内部に向けて引き込む引込部２０を有する制御移動部材１０と、を備えていることにより、操作部材８を操作しないときに、操作部材８を操作せずに操作部材８の外端部を腕時計ケース１内に収納することができる。
【００６２】
すなわち、この腕時計のスイッチ装置７では、操作部材８を操作しないときに、制御移動部材１０を移動させると、制御移動部材１０と共に引込部２０が移動して操作部材８のガイド動作部１３を腕時計ケース１の内部に引き込むことができるので、操作部材８を操作せずに、操作部材８の外端部を腕時計ケース１内に収納することができる。これにより、操作部材８の外端部が物にぶつかり難くし、操作部材８の破損を防ぐことができると共に、腕時計ケース１の外径を小さくすることができるので、腕時計全体の小型化を図ることができ、かつデザイン的に好ましいものを得ることができる。
【００６３】
この場合、操作部材８は、腕時計ケース１の外部に位置する頭部１１と、この頭部１１に連設されて内端部が腕時計ケース１の内部に突出する軸部１２とを備え、この軸部１２の内端部にガイド動作部１３が取り付けられていることにより、頭部１１を押圧操作すると、軸部１２の内端部をガイド動作部１３と共に腕時計ケース１の内部に突出させることができ、これによりスイッチ操作することができると共に、制御移動部材１０の移動に伴って引込部２０がガイド動作部１３を引き込んで操作部材８を引き込むことができる。
【００６４】
また、このスイッチ装置７では、制御移動部材１０がその移動に応じて操作部材８のガイド動作部１３を操作部材８と共に腕時計ケース１の外部に向けて押し出す押出部２１を有していることにより、制御移動部材１０を移動させると、制御移動部材１０と共に押出部２１を移動させることができ、この押出部２１の移動に伴ってガイド動作部１３を押し出すことができるので、操作部材８を押圧操作可能な状態にすることができると共に、操作部材８の頭部１１を腕時計ケース１の外部に確実にかつ良好に突出させることができので、操作部材８の操作がし易く、操作性の向上を図ることができる。
【００６５】
また、このスイッチ装置７では、制御移動部材１０を移動させる駆動機構２３を備えていることにより、制御移動部材１０を自動的に腕時計ケース１内で回転移動させることができる。すなわち、この駆動機構２３は、腕時計ケース１内に配置されて制御移動部材１０と共に移動する伝達移動部材２４と、この伝達移動部材２４を駆動する駆動部である圧電アクチュエータ２５と、を備えているので、圧電アクチュエータ２５によって伝達移動部材２４を駆動して回転移動させることができ、この伝達移動部材２４の回転移動によって制御移動部材１０を自動的に腕時計ケース１内で回転移動させることができる。
【００６６】
この場合、駆動機構２３は、伝達移動部材２４と圧電アクチュエータ２５とを保持する保持部材２６を備え、この保持部材２６に設けられた規制突起部２６ａが伝達移動部材２４の外周面に設けられた規制凹部２４ａ内を相対的に移動可能に挿入されていることにより、制御移動部材１０が所定角度、例えば約３０度の角度回転すると、保持部材２６の規制突起部２６ａに伝達移動部材２４の規制凹部２４ａの端部を当接させることができ、これにより制御移動部材１０の回転移動を停止させて、圧電アクチュエータ２５の動作を停止させることができる。
【００６７】
また、この駆動機構２３は、圧電アクチュエータ２５を動作させるためのスライドスイッチ（図示せず）を備えていることにより、このスライドスイッチを一方向にスライドさせた際に、伝達移動部材２４を時計回り方向に約３０度回転移動させることができ、またスライドスイッチを他方向にスライドさせた際に、伝達移動部材２４を反時計回り方向に約３０度回転移動させることができる。
【００６８】
さらに、このスイッチ装置７では、制御移動部材１０が腕時計ケース１の内面に沿って回転移動するリング形状に形成されていることにより、制御移動部材１０を腕時計ケース１の内面に沿って良好に回転移動させることができ、また操作部材８が腕時計ケース１の外周における複数個所にそれぞれ設けられていることにより、制御移動部材１０を回転移動させた際に、複数の操作部材８を一度に腕時計ケース１の内部に引き込むことができ、また複数の操作部材８を一度に腕時計ケース１の外部に押し出すことができるので、使い勝手の良いものを提供することができる。
【００６９】
また、このスイッチ装置７では、操作部材８の押圧操作に応じてスイッチ動作して、スイッチ信号を出力するスイッチ部であるスイッチ接点部２７を備えているので、頭部１１を押圧操作して、軸部１２の内端部をガイド動作部１３と共に腕時計ケース１の内部に押し込んだ際に、この押し込まれた軸部１２の内端部によってスイッチ接点部２７を確実に押すことができ、これによりスイッチ接点部２７を良好にスイッチ動作させることができる。
【００７０】
また、このスイッチ装置７では、操作部材８を腕時計ケース１の外部に向けて付勢する付勢部材として、制御移動部材１０に設けられた弾性部２２を備えているので、この弾性部２２の弾性力によって操作部材８を腕時計ケース１の外部に向けて弾力的に押し出すことができ、これにより操作部材８を確実にかつ良好にスイッチ動作させることができるほか、コイルばねなどの別部品としての付勢部材を設ける必要がないため、部品点数を削減することができると共に、組立作業の簡素化を図ることができる。
【００７１】
さらに、このスイッチ装置７では、制御移動部材１０が操作部材８を腕時計ケース１の内部に引き込んだ際における制御移動部材１０の回転位置を検出する検出部２８を備えていることにより、この検出部２８で検出された検出信号を時計モジュール６の電子回路（図示せず）に出力することができ、この出力された検出信号に基づいて電子回路がスイッチ接点部２７を電気的に遮断し、スイッチ接点部２７を電気的にオフ状態にすることができる。
【００７２】
このため、この検出部２８は、制御移動部材１０の引込部２０によって操作部材８が腕時計ケース１の内部に引き込まれた際に、操作部材８の軸部１２が制御移動部材１０の弾性部２２を押圧して、接点ばね２７ｂが固定接点２７ａに接触して、スイッチ接点部２７がオン状態になっても、検出部２８の検出信号に基づいて電子回路がスイッチ接点部２７を電気的にオフ状態にすることができる。
【００７３】
なお、上述した第１実施形態では、制御移動部材１０を回転移動させる駆動機構２３の駆動部として、振動によって伝達移動部材２４を移動させる圧電アクチュエータ２５を用いた場合について述べたが、この発明はこれに限らず、例えば図１０（ａ）に示す第１変形例、または図１０（ｂ）に示す第２変形例のように、駆動部としてモータ３１、３６を用いた構成であっても良い。
【００７４】
すなわち、第１変形例は、図１０（ａ）に示すように、駆動部としてモータ３１を用い、このモータ３１の出力軸に駆動歯車３２を設け、この駆動歯車３２を減速用の中間歯車３３に噛み合わせ、この中間歯車３３を伝達移動部材２４の内周面に設けられた内歯車（図示せず）に噛み合せ、この状態でモータ３１の回転を駆動歯車３２によって中間歯車３３に伝達し、この中間歯車３３によって伝達移動部材２４を回転移動させるように構成されている。
【００７５】
この場合、モータ３１は、図１０（ａ）に示すように、その出力軸が保持部材２６に対して平行な状態で、保持部材２６の１２時側に配置されている。このため、駆動歯車３２、中間歯車３３、および伝達移動部材２４の内歯車は、それぞれ傘歯車で形成されている。また、この場合にも、伝達移動部材２４は、約３０度の角度範囲で回転移動するように構成されている。このため、モータ３１は、伝達移動部材２４を約３０度回転移動させると、停止するように構成されている。
【００７６】
一方、第２変形例は、図１０（ｂ）に示すように、駆動部としてモータ３６を用い、このモータ３６の出力軸に駆動歯車３７を設け、この駆動歯車３７を減速用の中間歯車３８に噛み合わせ、この中間歯車３８を伝達移動部材２４の内周面に設けられた内歯車（図示せず）に噛み合せ、この状態でモータ３６の回転を駆動歯車３７によって中間歯車３８に伝達し、この中間歯車３８によって伝達移動部材２４を回転移動させるように構成されている。
【００７７】
この場合、モータ３６は、図１０（ｂ）に示すように、その出力軸が保持部材２６に対して垂直な状態で、保持部材２６の１２時側に配置されている。このため、駆動歯車３７、中間歯車３８、および伝達移動部材２４の内歯車は、それぞれ平歯車で形成されている。また、この場合にも、伝達移動部材２４は、約３０度の角度範囲で回転移動するように構成されている。このため、モータ３６は、伝達移動部材２４を約３０度回転移動させると、停止するように構成されている。
【００７８】
なお、上述した第１実施形態およびその第１、第２の変形例では、駆動機構２３の駆動部である圧電アクチュエータ２５およびモータ３１、３６を動作させるスイッチ部として、スライドスイッチ（図示せず）を用いた場合について述べたが、この発明はこれに限らず、圧電アクチュエータ２５およびモータ３１、３６などの駆動部を正回転および逆回転させることができれば、押釦スイッチ、タッチスイッチなどのスイッチであっても良い。
【００７９】
（第２実施形態）
次に、図１１〜図１６を参照して、この発明を腕時計に適用した第２実施形態について説明する。なお、図１〜図９に示された第１実施形態と同一部分には同一符号を付して説明する。
この腕時計のスイッチ装置４０は、図１１〜図１６に示すように、操作部材８を腕時計ケース１の外部に向けて付勢する付勢部材と、制御移動部材１０を駆動する駆動機構とが第１実施形態と異なる構成であり、これ以外は第１実施形態と同じ構成になっている。
【００８０】
すなわち、操作部材８を腕時計ケース１の外部に向けて付勢する付勢部材は、図１４および図１５に示すように、時計モジュール６の外周部に設けられたスイッチ接点部２７の接点ばね２７ｂであり、この接点ばね２７ｂの先端部が操作部材８の内端部に弾接して操作部材８を腕時計ケース１の外部に向けて付勢して押し出すように構成されている。
【００８１】
この接点ばね２７ｂは、第１実施形態と同様、スイッチ接点部２７の固定接点に２７ａに接離可能に接触するように構成されている。また、この接点ばね２７ｂは、図１２（ｂ）および図１６（ｂ）に示すように、操作部材８のガイド動作部１３が制御移動部材１０の押出部２１によって押し出されて、この押出部２１を相対的に乗り越えた際に、操作部材８の内端部が制御移動部材１０の切欠き部１０ａを通して弾接するように構成されている。
【００８２】
この場合、制御移動部材１０は、第１実施形態と同様、その切欠き部１０ａ内に引込部２０と押出部２１とが設けられているが、第１実施形態の弾性部２２は設けられていない構成になっている。このため、操作部材８の軸部１２は、図１４および図１６に示すように、その内端部が腕時計ケース１内に向けて長く突出して形成されている。
【００８３】
一方、制御移動部材１０を駆動する駆動機構は、図１１〜図１３に示すように、腕時計ケース１の上部外周に回転可能に設けられた回転ベゼル４１である。この回転ベゼル４１は、その内周部に設けられた連動部４３ａが制御移動部材１０の上端部に連結され、この状態で腕時計ケース１に対して所定角度、例えば約３０度の角度範囲で回転するように構成されている。
【００８４】
この場合、回転ベゼル４１の内周面には、第１実施形態の伝達移動部材２４と同様、回転移動範囲を規制する規制凹部（図示せず）が設けられている。この規制凹部内には、腕時計ケース１に設けられた規制部（図示せず）が相対的に移動可能に挿入されている。これにより、回転ベゼル４１は、腕時計ケース１の規制部が規制凹部内を相対的に移動することにより、腕時計ケース１に対して所定角度、つまり約３０度の角度範囲で回転移動するように構成されている。
【００８５】
また、この回転ベゼル４１は、図１１〜図１３に示すように、その連動部４１ａが制御移動部材１０に連結されていることにより、腕時計ケース１に対して所定角度、つまり約３０度の角度範囲で回転移動すると、これに伴って制御移動部材１０が腕時計ケース１内で回転移動するように構成されている。
【００８６】
すなわち、制御移動部材１０は、図１１〜図１３に示すように、回転ベゼル４１が時計回りに回転すると、引込部２０が操作部材８のガイド動作部１３を腕時計ケース１内に向けて引き込み、回転ベゼル４１が反時計回りに回転すると、押出部２１が操作部材８のガイド動作部１３を腕時計ケース１の外部に向けて押し出し、操作部材８の内端部をスイッチ接点部２７の接点ばね２７ｂに対応させるように構成されている。
【００８７】
次に、このような腕時計におけるスイッチ装置４０の作用について説明する。
このスイッチ装置４０を操作しないときには、第１実施形態と同様、制御移動部材１０が時計回りに回転されて、制御移動部材１０の引込部２０によって操作部材８のガイド動作部１３が腕時計ケース１の内部に引き込まれている。この状態では、図１２（ａ）に示すように、操作部材８の頭部１１が腕時計ケース１の外部に突出することがなく、腕時計ケース１の貫通孔９の大径孔部９ｂ内に収納されている。
【００８８】
このような状態で、スイッチ装置４０をスイッチ操作可能な状態にする場合には、図１２（ｂ）に示すように、腕時計ケース１に設けられた回転ベゼル４１を反時計回りに回転させる。すると、回転ベゼル４１の回転に伴って制御移動部材１０が同方向に回転し、制御移動部材１０の押出部２１が操作部材８のガイド動作部１３の第２ガイド片１８を腕時計ケース１の外部に向けて徐々に押し出す。
【００８９】
そして、ガイド動作部１３の第２ガイド片１８が押出部２１を乗り越えると、図１２（ｂ）および図１６（ｂ）に示すように、操作部材８のガイド動作部１３が自由状態になり、操作部材８の軸部１２の内端部が制御移動部材１０の切欠き部１０ａを通して時計モジュール６のスイッチ接点部２７の接点ばね２７ｂに対応して弾接する。
【００９０】
この状態のときには、図１４および図１６（ｂ）に示すように、スイッチ接点部２７の接点ばね２７ｂのばね力によって操作部材８の軸部１２が押し出され、操作部材８の頭部１１が腕時計ケース１の貫通孔９の大径孔部９ｂから外部に押し出される。また、このときには、時計モジュール６のスイッチ接点部２７の接点ばね２７ｂが固定接点２７ａから離れているので、操作部材８の操作によってスイッチ接点部２７がスイッチ動作可能な状態になる。
【００９１】
このように、制御移動部材１０が反時計回りに所定角度、例えば約３０度の角度、回転すると、回転ベゼル４１の内周面に設けられた規制凹部（図示せず）内を腕時計ケース１に設けられた規制部（図示せず）が相対的に移動して規制凹部の一端部に当接する。このため、回転ベゼル４１の回転が停止され、これに伴って制御移動部材１０の回転移動も停止される。
【００９２】
このように、操作部材８の軸部１２がスイッチ接点部２７の接点ばね２７ｂによって押し出されて、スイッチ接点部２７がスイッチ動作可能な状態になると、図１４および図１６（ｂ）に示すように、操作部材８の頭部１１を押圧操作して、スイッチ接点部２７をスイッチ動作させることができる。すなわち、操作部材８の頭部１１を接点ばね２７ｂのばね力に抗して押圧すると、操作部材８の軸部１２が腕時計ケース１の貫通孔９内をスライドして、軸部１２の内端部がスイッチ接点部２７の接点ばね２７ｂを押圧する。
【００９３】
これにより、スイッチ接点部２７の接点ばね２７ｂが固定接点２７ａに押し付けられて接触することにより、スイッチ接点部２７がオン状態になる。また、この状態で、操作部材８の頭部１１から指を離して外力を取り除くと、スイッチ接点部２７の接点ばね２７ｂのばね力によって操作部材８の軸部１２が腕時計ケース１の外部に押し出され、接点ばね２７ｂが固定接点２７ａから離れてスイッチ接点部２７がオフ状態になる。
【００９４】
一方、このスイッチ装置４０を操作しない場合には、回転ベゼル４１を時計回りに回転させて、制御移動部材１０を同方向に回転させる。すると、制御移動部材１０の引込部２０が操作部材８のガイド動作部１３を腕時計ケース１の内部に引き込み、操作部材８の頭部１１を腕時計ケース１の外部に突出することなく、腕時計ケース１の貫通孔９の大径孔部９ｂ内に収納する。
【００９５】
すなわち、回転ベゼル４１の回転に伴って制御移動部材１０が同方向に回転し、制御移動部材１０の押出部２１が操作部材８のガイド動作部１３の第２ガイド片１８に対応する位置に移動する。この状態で、制御移動部材１０が更に回転移動すると、制御移動部材１０の引込部２０が操作部材８のガイド動作部１３の第１ガイド片１７に対応し、この第１ガイド片１７を腕時計ケース１の内部に向けて引き込む。
【００９６】
そして、ガイド動作部１３の第１ガイド片１７が制御移動部材１０の引込部２０によって引き込まれて、操作部材８の頭部１１が腕時計ケース１の貫通孔９の大径孔部９ｂ内に収納される。このときには、第１実施形態と同様、制御移動部材１０の回転位置が検出部２８によって検出され、この検出部２８で検出された検出信号に基づいて時計モジュール６の電子回路（図示せず）がスイッチ接点部２７を電気的に遮断し、スイッチ接点部２７をオフ状態にする。
【００９７】
このように、このスイッチ装置４０によれば、第１実施形態と同様の作用効果があるほか、操作部材８を腕時計ケース１の外部に向けて付勢する付勢部材が、時計モジュール６の外周部に設けられたスイッチ接点部２７の接点ばね２７ｂであることにより、第１実施形態と同様、操作部材８を良好に押圧操作することができるので、スイッチ接点部２７を確実にかつ良好にスイッチ動作させることができるほか、制御移動部材１０に弾性部２２を設ける必要がないため、制御移動部材１０の構造を簡素化することができ、これにより低コスト化を図ることができる。
【００９８】
また、このスイッチ装置４０では、制御移動部材１０を駆動する駆動機構が、腕時計ケース１の上部外周に回転可能に設けられた回転ベゼル４１であり、この回転ベゼル４１の回転に応じて制御移動部材１０を回転移動させる構成であるから、構造が簡単でかつ確実に制御移動部材１０を回転移動させることができるほか、第１実施形態のような伝達移動部材２４、圧電アクチュエータ２５、保持部材２６などの部品が不要になるので、部品点数を大幅に削減することができる。
【００９９】
この場合、回転ベゼル４１は、その内周面に回転移動範囲を規制する規制凹部（図示せず）が設けられ、この規制凹部内に腕時計ケース１の規制部（図示せず）が相対的に移動可能に挿入されていることにより、回転ベゼル４１を腕時計ケース１に対して所定角度、つまり例えば約３０度の角度範囲で回転移動させることができ、この回転ベゼル４１の回転に応じて操作部材８を腕時計ケース１内に確実に収納することができ、かつ腕時計ケース１の外部に良好に押し出することができる。
【０１００】
なお、上述した第１、第２の実施形態およびその第１、第２の変形例では、スイッチ装置７、４０のスイッチ部として、固定接点２７ａおよび接点ばね２７ｂを備えたスイッチ接点部２７を用いた場合について述べたが、この発明はこれに限らず、例えばマイクロスイッチであっても良く、また操作部材８を腕時計ケース１の外部に向けて付勢する付勢部材を別に備えていれば、ホール素子を用いた磁気スイッチや、フォトインタラプタなどの光学スイッチなどの非接触型のスイッチを用いても良い。
【０１０１】
また、上述した第１、第２の実施形態およびその第１、第２の変形例では、制御移動部材１０に押出部２１を設けた場合について述べたが、この発明はこれに限らず、操作部材８を腕時計ケース１の外部に向けて付勢する付勢部材を備えていれば、必ずしも制御移動部材１０に押出部２１を設ける必要はない。
【０１０２】
さらに、上述した第１、第２の実施形態およびその第１、第２の変形例では、腕時計に適用した場合について述べたが、必ずしも腕時計である必要はなく、例えばトラベルウオッチ、目覚まし時計、置き時計、掛け時計などの各種の時計に適用することができる。また、この発明は、時計に限らず、例えば携帯電話機や携帯情報端末機などの各種の電子機器にも適用することができる。
【０１０３】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【０１０４】
（付記）
請求項１に記載の発明は、貫通孔が設けられたケースと、前記ケースの前記貫通孔にその軸方向にスライド可能に設けられ、かつガイド動作部を有する操作部材と、前記ケースの内部にその内面に沿って移動可能に設けられ、かつその移動に応じて前記ガイド動作部を前記操作部材と共に前記ケースの内部に向けて引き込む引込部を有する制御移動部材と、を備えていることを特徴とするスイッチ装置である。
【０１０５】
請求項２に記載の発明は、請求項１に記載のスイッチ装置において、前記操作部材は、前記ケースの外部に位置する頭部と、この頭部に連設されて内端部が前記ケースの内部に突出する軸部と、を備え、前記軸部の内端部に前記ガイド動作部が取り付けられていることを特徴とするスイッチ装置である。
【０１０６】
請求項３に記載の発明は、請求項１または請求項２に記載のスイッチ装置において、前記制御移動部材は、その移動に応じて前記操作部材の前記ガイド動作部を前記操作部材と共に前記ケースの外部に向けて押し出す押出部を有していることを特徴とするスイッチ装置である。
【０１０７】
請求項４に記載の発明は、請求項１〜請求項３のいずれかに記載のスイッチ装置において、前記制御移動部材を移動させる駆動機構を備えていることを特徴とするスイッチ装置である。
【０１０８】
請求項５に記載の発明は、請求項４に記載のスイッチ装置において、前記駆動機構は、前記ケースの上部外周に回転可能に設けられて、前記制御移動部材を移動させる回転ベゼルであることを特徴とするスイッチ装置である。
【０１０９】
請求項６に記載の発明は、請求項４に記載のスイッチ装置において、前記駆動機構は、前記ケース内に配置されて前記制御移動部材と共に移動する伝達移動部材と、この伝達移動部材を駆動する駆動部と、を備えていることを特徴とするスイッチ装置である。
【０１１０】
請求項７に記載の発明は、請求項６に記載のスイッチ装置において、前記駆動機構の前記駆動部は、振動によって前記伝達移動部材を移動させる圧電アクチュエータであることを特徴とするスイッチ装置である。
【０１１１】
請求項８に記載の発明は、請求項１〜請求項７のいずれかに記載のスイッチ装置において、前記制御移動部材は、前記ケースの内面に沿って回転移動するリング形状に形成されており、前記操作部材は、前記ケースの外周における複数個所にそれぞれ設けられていることを特徴とするスイッチ装置である。
【０１１２】
請求項９に記載の発明は、請求項１〜請求項８のいずれかに記載のスイッチ装置において、前記操作部材の押圧操作に応じてスイッチ動作するスイッチ部を備えていることを特徴とするスイッチ装置である。
【０１１３】
請求項１０に記載の発明は、請求項１〜請求項９のいずれかに記載のスイッチ装置において、前記操作部材を前記ケースの外部に向けて付勢する付勢部材を備えていることを特徴とするスイッチ装置である。
【０１１４】
請求項１１に記載の発明は、請求項１０に記載のスイッチ装置において、前記付勢部材は、前記制御移動部材に設けられた弾性部であることを特徴とするスイッチ装置である。
【０１１５】
請求項１２に記載の発明は、請求項１０に記載のスイッチ装置において、前記付勢部材は、前記スイッチ部の接点部に接離可能に弾接する接点ばねであることを特徴とするスイッチ装置である。
【０１１６】
請求項１３に記載の発明は、請求項１〜請求項１２のいずれかに記載のスイッチ装置において、前記制御移動部材が前記操作部材を前記ケースの内部に引き込んだ際における前記制御移動部材の回転位置を検出する検出部を備えていることを特徴とするスイッチ装置である。
【０１１７】
請求項１４に記載の発明は、請求項１〜請求項１３のいずれかに記載されたスイッチ装置を備えていることを特徴とする時計である。
【符号の説明】
【０１１８】
１  腕時計ケース
６  時計モジュール
７、４０  スイッチ装置
８  操作部材
９  貫通孔
９ａ  小径孔部
９ｂ  大径孔部
１０制御移動部材
１１  頭部
１２  軸部
１３  ガイド動作部
１６  動作本体部
１７  第１ガイド片
１８  第２ガイド片
２０  引込部
２０ａ  傾斜面
２１  押出部
２１ａ  傾斜面
２２  弾性部
２３  駆動機構
２４  伝達移動部材
２５  圧電アクチュエータ
２６  保持部材
２７  スイッチ接点部
２７ａ  固定接点
２７ｂ  接点ばね
２８  検出部
３１、３６  モータ
４１  回転ベゼル
【図１】
0006740582.tif 000002
【図２】
0006740582.tif 000003
【図３】
0006740582.tif 000004
【図４】
0006740582.tif 000005
【図５】
0006740582.tif 000006
【図６】
0006740582.tif 000007
【図７】
0006740582.tif 000008
【図８】
0006740582.tif 000009
【図９】
0006740582.tif 000010
【図１０】
0006740582.tif 000011
【図１１】
0006740582.tif 000012
【図１２】
0006740582.tif 000013
【図１３】
0006740582.tif 000014
【図１４】
0006740582.tif 000015
【図１５】
0006740582.tif 000016
【図１６】
0006740582.tif 000017